(57)【要約】      （修正有）【課題】断熱層をサッシの室内側表面に効率的且つ簡易に形成することが可能であって、単価も安いサッシ用結露防止具を提供する。【解決手段】サッシ３に取付けられてサッシ３の室内側表面の結露を防止するサッシ用結露防止具であって、サッシ３の室内側表面に沿う扁平な環状断面を有するように押出し成形された筒状本体１４を備え、筒状本体１４の一方の外面を、上記室内側表面に貼付し、筒状本体１４内に断熱層１７を形成し、筒状本体１４は、四隅にＲが形成された方形状の環状断面を有する。【選択図】図４
0003194877.tif 000002
【実用新案登録請求の範囲】
【請求項１】
サッシに取付けられてサッシの室内側表面の結露を防止するサッシ用結露防止具であって、サッシの室内側表面に沿う扁平な環状断面を有するように押出し成形された筒状本体を備え、該筒状本体の一方の外面を、上記室内側表面に貼付し、該筒状本体内に断熱層を形成するサッシ用結露防止具。
【請求項２】
前記筒状本体は、四隅にＲが形成された方形状の環状断面を有する請求項１に記載のサッシ用結露防止具。
【請求項３】
前記筒状本体は、サッシのコーナ部に沿うＬ字状又はコの字状の扁平な環状断面を有するように押出し成形された請求項１に記載のサッシ用結露防止具。
【請求項４】
前記筒状本体内の断熱層が密閉された空気層になるように、該筒状本体の両端部が閉塞された請求項１乃至３の何れかに記載のサッシ用結露防止具。
【請求項５】
前記筒状本体の外面には、水滴を受止めて流動を抑制する止水壁を突出形成した請求項１乃至４の何れかに記載のサッシ用結露防止具。
【請求項６】
前記止水壁を、筒状本体の幅方向の一方側端部に配置形成した請求項５に記載のサッシ用結露防止具。
【請求項７】
前記筒状本体内の断熱層の厚みを３〜５ｍｍに設定した請求項１乃至６の何れかに記載のサッシ用結露防止具。
【請求項８】
前記筒状本体は、不透明な合成樹脂材によって構成された請求項１乃至７の何れかに記載のサッシ用結露防止具。
【請求項９】
前記筒状本体を、両面テープによって、上記室内側表面に接着させる請求項１乃至８の何れかに記載のサッシ用結露防止具。
【考案の詳細な説明】
【技術分野】
【０００１】
この考案は、サッシ用結露防止具に関する。
【背景技術】
【０００２】
寒い時期、サッシの室内側表面が結露することを防止するため、サッシの室内側表面に沿って断熱層を形成する種々のサッシ用結露防止具が公知になっている。
【０００３】
その一例として、サッシの室内側表面に沿う方形環状の断面を有する筒状本体を備え、該筒状本体の扁平な一方の外面を、上記室内側表面に面状に接触させて取付け、筒状本体内に断熱層を形成するサッシ用結露防止具が従来公知なっている（例えば、特許文献１参照）。
【先行技術文献】
【特許文献】
【０００４】
【特許文献１】特許第５３０８０８９号公報
【考案の概要】
【考案が解決しようとする課題】
【０００５】
上記文献のサッシ用結露防止具は、筒状本体によって、サッシの室内側表面に、断熱層を、効率的且つ簡易に形成することが可能になる一方で、結露を防止の対象となるサッシが１つの建物に限定しても数多く存在するため、単価をより安くする必要がある。
【０００６】
本考案は、断熱層をサッシの室内側表面に効率的且つ簡易に形成することが可能であって、単価も安いサッシ用結露防止具を提供することを課題とする。
【課題を解決するための手段】
【０００７】
上記課題を解決するため、第１に、サッシに取付けられてサッシの室内側表面の結露を防止するサッシ用結露防止具であって、サッシの室内側表面に沿う扁平な環状断面を有するように押出し成形された筒状本体を備え、該筒状本体の一方の外面を、上記室内側表面に貼付し、該筒状本体内に断熱層を形成すること特徴としている。
【０００８】
第２に、前記筒状本体は、四隅にＲが形成された方形状の環状断面を有することを特徴としている。
【０００９】
第３に、前記筒状本体は、サッシのコーナ部に沿うＬ字状又はコの字状の扁平な環状断面を有するように押出し成形されたことを特徴としている。
【００１０】
第４に、前記筒状本体内の断熱層が密閉された空気層になるように、該筒状本体の両端部が閉塞されたことを特徴としている。
【００１１】
第５に、前記筒状本体の外面には、水滴を受止めて流動を抑制する止水壁を突出形成したことを特徴としている。
【００１２】
第６に、前記止水壁を、筒状本体の幅方向の一方側端部に配置形成したことを特徴としている。
【００１３】
第７に、前記筒状本体内の断熱層の厚みを３〜５ｍｍに設定したことを特徴としている。
【００１４】
第８に、前記筒状本体は、不透明な合成樹脂材によって構成されたことを特徴としている。
【００１５】
第９に、前記筒状本体を、両面テープによって、上記室内側表面に接着させることを特徴としている。
【考案の効果】
【００１６】
断熱層をサッシの室内側表面に効率的且つ簡易に形成させることが可能な筒状本体を、押出し成形によって、短時間で大量に製造できるため、単価も安くなり、結露防止の対策を安いコストで実現できる。
【図面の簡単な説明】
【００１７】
【図１】本考案を適用したサッシ用結露防止具を設けた引き違い式の窓を外側から見た状態を示す正面図である。
【図２】図１のサッシの斜視図である。
【図３】図２のＡ−Ａ断面図である。
【図４】図２のＢ−Ｂ断面図である。
【図５】（Ａ）は図４に示す第１結露防止具の断面図であり、（Ｂ）は（Ａ）のＣ−Ｃ断面図である。
【図６】第１結露防止具の変形例を示す断面図である。
【図７】第２結露防止具を、一部破断をして示す正面図である。
【図８】図７の平面図である。
【図９】第２結露防止具をサッシに装着した状態を示す平面図である。
【図１０】第２結露防止具の別実施形態の構成を示す平断面図である。
【考案を実施するための形態】
【００１８】
図１は、本考案を適用したサッシ用結露防止具を設けた引き違い式の窓を外側から見た状態を示す正面図であり、図２は、図１のサッシの斜視図である。窓は、建物等の構造物の人の出入りや空気の取入れや採光を目的とした開口部に沿って形成され且つ構造物の一部を構成する木枠部材１に、固定的に設置された方形枠である窓枠サッシ（固定側窓枠，サッシ）２と、該窓枠サッシ２における枠内に左右スライド可能に嵌め込み支持され且つ奥行き方向に互い違いに配置された一対のサッシ（可動側窓枠）３，３を備えている。
【００１９】
上記サッシ２は、左右一対の上下方向の縦枠４と、その上下端と中間位置とをそれぞれ連結する左右方向の横枠６，６及び中枠７とを有し、各枠４，６，７で形成される枠区画内に、それぞれ板ガラス８を取付けている。
【００２０】
図３は、図２のＡ−Ａ断面図である。板ガラス８の取付手段は従来公知であるが、簡単に説明すると、板ガラス８の方形状の縁部が、各枠４，６，７の枠内周面に形成した取付溝９に、パッキン１１を介して、嵌め込み固定される。
【００２１】
そして、窓枠サッシ２及びサッシ３の室内側表面には、結露防止を目的としたサッシ用結露防止具１２，１３が設けられる。この結露防止具１２，１３には、フラットな単一面に設けられる第１結露防止具１２と、コーナ部に設けられる第２結露防止具１３との２種類が用意される。
【００２２】
まず、図４乃至６に基づき、第１結露防止具１２の構成について説明する。
【００２３】
図４は、図２のＢ−Ｂ断面図であり、図５（Ａ）は図４に示す第１結露防止具の断面図であり、（Ｂ）は（Ａ）のＣ−Ｃ断面図である。第１結露防止具１２は、該サッシ２の室内側表面に沿うように扁平な環状（さらに具体的には、方形状断面）を有する筒状本体１４を備えている。
【００２４】
この筒状本体１４は、適宜好みの色付けがされた（例えば、黒色や灰色の）ポリ塩化ビニル等の不透明な硬質性の合成樹脂から構成され、同一断面を有するように押出し成形されている。この筒状本体１４は、長手方向がサッシ２，３（図示する例では、窓枠サッシ２の枠内周面、或いはサッシ３の中枠７）の形成方向に向けられるとともに、扁平な環状断面の短軸方向（厚み方向）が、上記サッシ２の室内側表面の法線に沿った姿勢（具体的には該法線に平行な姿勢）で、該室内側表面に貼付されている。
【００２５】
さらに、詳しく説明すると、第１結露防止具１２は、筒状本体１４からなり、筒状本体１４の上記厚み方向一方側の外面（筒状本体１４の一方の外面）は、サッシ２に貼付される貼付面１４ａになり、他方側の外面は室内側に向けられる室内側面１４ｂになり、この貼付面１４ａが、接着剤又は両面テープ１６（図示する例では、両面テープ１６であり、さらに具体的には、防水性及び断熱性に優れたブチルテープ）を介して、サッシ２，３の室内側表面に接着される。
【００２６】
この第１結露防止具１２における貼付面１４ａと、室内側面１４ｂとの間（筒状本体１４内）には、空気層が形成され、この空気層は、外の冷気が、サッシ２，３の室内側表面に伝導するのを防止する断熱層１７になる。
【００２７】
この断熱層１７を密閉状態とするため、筒状本体１４の長手方向の両端部は、閉塞されている。図示する例では、筒状本体１４における長手方向の両端側の空間に、それぞれ充填材１８を充填することにより、閉塞して、断熱層１７内の密閉状態を保持している。ちなみに、この断熱層１７内に図示しない乾燥剤等を収容させてもよい。なお、断熱層１７は、真空としてもよく、さらには、必ずしも密閉する必要はなく、筒状本体１４の両端側を開放させていてもある程度の効果は期待できる。
【００２８】
また、この筒状本体１４の方形状断面の四隅には、Ｒ（丸みを帯びた凸曲面）１４ｃが形成され、エッジに触れることによる不快感を低減させている。
【００２９】
さらに、断熱層１７の厚み方向の長さ（厚み）ｄは３〜５ｍｍに設定され、幅方向の長さ（幅）Ｗは２０〜４０ｍｍに設定され、筒状本体１４の板厚（内周面と外周面との間の距離）は、０．５〜１ｍｍ程度に設定される。
【００３０】
該構成の第１結露防止具１２によれば、サッシ２，３の室内側表面に沿って断熱層１７が形成され、この断熱層１７によって、外部からの熱伝導が遮断されるため、該室内側表面の結露が効率的に防止される。しかも、筒状本体１４は、その形状から取付作業も容易であり、作業効率的もアップする。
【００３１】
図６は、第１結露防止具の変形例を示す断面図である。同図に示す例では、サッシ２，３の室内側表面が水平又は略水平であり、この室内側表面に、第１結露防止具１２が取付けられている。この際、筒状本体１４の室内側面１４ｂにおける幅方向の一方側（好ましくは、板ガラス８から遠い側）端部には、長手方向全体に亘り、厚み方向に突出した止水壁（壁部）１４ｄが一体で突出形成されている。
【００３２】
この止水壁１４ｄによれば、板ガラス８等やサッシ２，３が結露した場合でも、その水滴を、受止め、これによって、木枠部材１側に水滴が流動することを防止できる。このため、木枠部材１の腐食も効率的に防止される。
【００３３】
次に、図３及び図７〜図９に基づき、第２結露防止具１３の構成について説明する。
【００３４】
図７は、第２結露防止具を、一部破断をして示す正面図であり、図８は、図７の平面図であり、図９は、第２結露防止具をサッシに装着した状態を示す平面図である。サッシ２，３（図示する例では、サッシ２）の室内側表面に沿って空気層（断熱層）１７が形成されるように配置される透明な合成樹脂性のパネル１９と、サッシ２，３の屈曲した複数の面を囲繞するように折れ曲って空気層１７を形成するように、サッシ２，３の室内側表面に固着される帯状のスペーサ２０，２１とからなる。
【００３５】
即ち、第２結露防止具１３のパネル１９は、例えば、サッシ２の縦枠４のコーナ部（コーナ角）に沿う折込部１９ａ，１９ａを縦方向（サッシ２，３の形成方向）に形成しており、該パネル１９の４辺に沿って、スペーサ２０，２１を接着している。
【００３６】
これによって、第２結露防止具１は、パネル１９を屈曲部１９ａ，１９ａにより断面視コ字状に屈曲させた状態で、上下に配置された水平方向のスペーサ２０をそれぞれサッシ３のコーナ部に沿って接着すると、上記空気層１７を簡単に形成することができる。また、この水平方向のスペーサ２０と共に、上下方向の一対のスペーサ２１，２１を、パ熱１９と、サッシ２，３の室内側表面との間に、介在させて、両部材に密着させることにより、空気層１７が密閉される。
【００３７】
なお、サッシ２，３とパネル１９の中途に、補助スペーサ２２を設けると、上下のスペーサ２０の間でパネル１１の撓み変形を抑制して、一定形状を維持し、安定的に断熱層１７を維持できる。
【００３８】
次に、図１０に基づき、第２結露防止具１３の別実施形態について説明する。
【００３９】
図１０は、第２結露防止具の別実施形態の構成を示す平断面図である。同図に示す第２結露防止具１３は、前記筒状本体１４が、サッシ２，３のコーナ部に沿うＬ字状又はコの字状（図示する例では、Ｌ字状）の扁平な環状断面を有するように押出し成形されている。
【００４０】
この筒状本体１４は、貼付面１４ａ及び室内側面１４ｂが、Ｌ字状のものは、それぞれ２面（計４面）形成され、コの字状のものは、それぞれ３面（計６面）形成され、各貼付面１４ａを、両面テープ１６や接着剤によって、上記コーナ部に接着させているが、同図では、この両面テープ１６や接着剤は、省略されている。
【符号の説明】
【００４１】
１  木枠部材
２  窓枠サッシ（固定側窓枠，サッシ）
３  サッシ（可動側窓枠）
４  縦枠
６  横枠
７  中枠
８  板ガラス（ガラス）
９  取付溝
１１  パッキン
１２  第１結露防止具（サッシ用結露防止具）
１３  第２結露防止具（サッシ用結露防止具）
１４  筒状本体
１４ａ  貼付面
１４ｂ  室内側面
１４ｃ  Ｒ（凸曲面）
１４ｄ  止水壁（壁部）
１６  両面テープ
１７  断熱層（空気層）
１８  充填材
１９  パネル
２０  スペーサ
２１  スペーサ
２２  補助スペーサ
ｄ  厚み
Ｗ  幅
【図１】
0003194877.tif 000003
【図２】
0003194877.tif 000004
【図３】
0003194877.tif 000005
【図４】
0003194877.tif 000006
【図５】
0003194877.tif 000007
【図６】
0003194877.tif 000008
【図７】
0003194877.tif 000009
【図８】
0003194877.tif 000010
【図９】
0003194877.tif 000011
【図１０】
0003194877.tif 000012